(57)【要約】  【課題】  各使用者の顔の形状に適合し、ニーズに応じて顔面各部位のマッサージが可能であり、軽量で作動中静かな美顔マスク及び体の各部位のマッサージが可能であり軽量で作動中静かな美容器具を提供する。  【解決手段】  各使用者の顔の形状に合わせて整形された目、鼻及び口部分に開口部を持ち顔面を被覆する美顔マスクにおいて、マスク地中に振動素子及び／又は電磁波発信装置を備える。また、上記マスク地の接顔面に顔面に向かって突出する襞を設ける。  また、皮膚表面を被覆するシート状の美容器具において、シート基材中に振動素子及び／又は電磁波発信装置を設ける構成としてもよい。  さらに、接顔面又は皮膚との接触面には、皮膚粘着性を有する材質を用いることが好ましく、上記振動素子として、顔面又は皮膚表面に対して、略水平な面内で振動する振動モータを採用することが好ましい。【選択図】  図１
2005118527.tif 000002
【特許請求の範囲】
【請求項１】
目、鼻及び口部分に開口部を持ち顔面を被覆する美顔マスクにおいて、
マスク地中に振動素子及び／又は電磁波発信装置を備えることを特徴とする美顔マスク。
【請求項２】
上記マスク地が皮膚粘着性を有する材質からなる請求項１に記載の美顔マスク。
【請求項３】
上記マスク地の接顔面に顔面に向かって突出する襞を備える請求項１に記載の美顔マスク。
【請求項４】
目、鼻及び口部分に開口部を持ち顔面を被覆する美顔マスクにおいて、
接顔面に皮膚粘着性を有するマスク地と、
前記マスク地に設けられ、前記接顔面に対して略平行な面内で振動する振動素子とを備えたことを特徴とする美顔マスク。
【請求項５】
前記振動素子が、目元、口元、額のうち少なくとも１または２以上の位置に配置される請求項４に記載の美顔マスク。
【請求項６】
前記マスク地がアミノ酸と酸化チタン系光触媒のいずれか、もしくは両方を含有する請求項１から請求項５のいずれかに記載の美顔マスク。
【請求項７】
前記マスク地が発熱体を備える請求項１から請求項６のいずれかに記載の美顔マスク。
【請求項８】
皮膚表面を被覆するシート状の美容器具において、
上記シート基材中に振動素子及び／又は電磁波発信装置を備えることを特徴とする美容器具。
【請求項９】
上記シート基材が皮膚粘着性を有する材質からなる請求項４に記載の美容器具。
【請求項１０】
上記シート基材の皮膚との接触面に皮膚に向かって突出する襞を備える請求項４に記載の美容器具。
【請求項１１】
皮膚表面を被覆するシート状の美容器具において、
皮膚との接触面に皮膚粘着性を有するシート基材と、
前記シート基材に設けられ、前記接触面に対して略平行な面内で振動する振動素子とを備えたことを特徴とする美容器具。
【発明の詳細な説明】
【技術分野】
【０００１】
本発明は顔面に装着する美顔用のマスク及び美容器具に関する。
【背景技術】
【０００２】
近年のエステブームにより、顔面に装着する種々の美顔マスクが開発されている。例えば特許文献１には、プラスチック系耐熱ゴムの生地に天然鉱石あるいはセラミックのパウダーを練りこんだ美顔マスクが開示されている。これは上記パウダーが発生する遠赤外線により、顔面の血行を促進し、美顔を保つことを目的としている。
【０００３】
また、特許文献２には、頬に当たる部分にエアバッグを収容した美顔装置が開示されている。これはこのエアバッグにコンプレッサから空気を送ることにより、顔面のマッサージを行う装置である。
【０００４】
このように、マッサージ効果を得る方法として、特許文献２に記載されているような低周波の電気パルスを通電する方式も使用されている。
【特許文献１】特開2001-145520号公報
【特許文献２】特開2002-159340号公報
【発明の開示】
【発明が解決しようとする課題】
【０００５】
上述のように顔面をマッサージすることは美顔の上で効果があるが、上記特許文献２に開示されている技術では、エアバッグがかさばる上に顔面に装着した際に重たいという欠点がある。また、マッサージできる部分が頬に限られる上、あらかじめ形状が決まっているので必ずしも各使用者の顔の形状に適合しない。さらにはコンプレッサの音がうるさいというところも短所といえる。
【０００６】
また、上述のような電気パルスを使用する方式は、マッサージを行いたい部位の皮膚表面に高分子ゲルなどの粘着パッドを介して電極を面接触させ、皮膚に低周波の電気パルスを伝達する。この場合、皮膚の奥深く（皮下組織）まで強い刺激が浸透し、長時間の使用により皮膚に炎症を引き起こすことがあった。
【０００７】
上記特許文献２には、上記構成に加えて、振動モータを備える構成が開示されているが、しわ取りやシミ取り等の美顔に対しては何ら配慮がされていない。
【０００８】
本発明はこのような観点からなされたものであって、各使用者の顔の形状に適合し、ニーズに応じて顔面各部位のマッサージが可能であり、安全かつ軽量で作動中静かな美顔マスク及び、体の各部位をマッサージ可能な美容器具を提供することを目的とする。
【０００９】
また、上記マッサージ作用により美顔及び美肌の効果を促進することが可能な美顔マスク、及び美容器具を提供することを目的とする。
【課題を解決するための手段】
【００１０】
以上の目的を達成するために、本発明では次のような手段を採用している。
【００１１】
まず、目、鼻及び口部分に開口部を持ち顔面を被覆する美顔マスクにおいて、マスク地中に振動素子及び／又は電磁波発信装置を備える。この振動素子は、使用者がマッサージをしたい部分に備えることとし、これにより使用者のニーズに応じたマッサージが可能となる。
【００１２】
また、上記電磁波発信装置により、皮膚表面の水分からマイナスイオンが発生し、リラックスする効果をあげることができる。この電磁波発信装置を、α波（安定した精神状態のときに観測される人間の脳波）の周波数である８Ｈｚから１３Ｈｚの低周波を発信する低周波発信装置とすれば、リラックスする効果を高めることができる。なお、マイナスイオンを発生する観点では、マスク地中にトルマリン鉱石を含有させても良い。
【００１３】
さらに、上記マスク地の接顔面に顔面に向かって突出する襞を設けてもよい。これによりマッサージの効果が向上する。
【００１４】
一方、振動による刺激を皮膚の表面付近にだけ伝えるために、上記振動素子は、顔面と略平行な面内で振動することが好ましい。このとき、上記マスク地の接顔面が皮膚粘着性を有する材質であれば、上記振動を効率よく顔面伝えるとともに皮膚を引き伸ばすことが可能となるため、しわ取りの効果を得ることができる。
【００１５】
さらに、上記マスク地が、しわ、シミを減少させる等の美肌作用を有するアミノ酸や、マイナスイオン発生作用、遠赤外線放射作用、及び老廃物等を分解する作用等を有する酸化チタン系光触媒を含有する構成とすれば、美顔効果をより高めることができる。
【００１６】
加えて、上記マスク地が発熱体を備える構成とすれば、毛穴を開くとともに、顔面に発汗させることができ、美顔効果をさらに高めることができる。
【００１７】
ところで、上記マスク地に代えてシート基材中に、振動素子及び／又は電磁波発信装置を備える構成とすれば、頬、首、二の腕、太腿等、体の任意の部分に美容器具として使用することが可能である。
【００１８】
また、肘、膝などの関節の屈曲部分に合わせた開口部を備える構成とすれば、関節を動かした時に、皮膚から剥がれたり、位置ずれを起こしたりすることを防ぐことができる。
【発明の効果】
【００１９】
本発明によれば、各使用者の顔の形状に適合し、ニーズに応じて顔面各部位のマッサージが可能であり、安全かつ軽量で作動中静かな美顔マスクを提供することができる。
【００２０】
また、顔面に適合する形状のマスク地に代えて、シート状のシート基材により構成すれば、体の任意の部分の形状に適合する美容器具として適用することが可能であり、軽量で作動中静かな美容器具を提供することができる。
【００２１】
さらに、上記マスク地及びシート基材の皮膚との接触面に、皮膚粘着性を有する材質を採用する構成により、振動素子が発生する振動を効率よく皮膚に伝えることが可能となる。
【００２２】
加えて、上記マスク地及びシート基材がアミノ酸や酸化チタン系光触媒を含有する、あるいは、通電により発熱する発熱体を備える構成とすれば、美顔（美肌）上の効果を促進することができる。
【発明を実施するための最良の形態】
【００２３】
（実施の形態１）
以下、本発明の実施の形態について、図面を参照しながら詳細に説明する。
【００２４】
図１は本発明の実施の形態における美顔マスクの正面図であり、図２はこの美顔マスクの図１A-Aにおける断面図である（頭部を点線で示す）。また図３は、図２の円Cで示した部分の拡大図である。
【００２５】
まず、使用者の顔面に石膏やシリコンなどの型取り剤を塗布し、顔の型取りを行う。そして作成された型にシリコンゴムを流し込み、目、口及び鼻に対応する位置に開口部８、９、１０を備えるマスク地１を形成する。
【００２６】
次に、上記マスク地１のマッサージをしたい部位に振動素子２を配設する。図１では振動素子２は目じりの部分に２つ設けられているが、これは一例であって、必要な部位に必要な個数配設する。そしてマッサージを要しない部位にこの振動素子２を駆動するためのボタン電池３を配設し、さらにこのボタン電池３から振動素子２までに導線４を配線する。
【００２７】
なお、上記振動素子２は、顔面表面に対して略平行に振動する構成とすることが好ましい。このようにすれば、振動による刺激は上記マスク地１を介して皮膚表面に伝達されるだけであるので、上述の電気パルスを使用する方式のように炎症を引き起こすことがない。このように顔面表面に対して略平行に振動する振動素子２としては、例えば、ボタン型のケース内で、ケースの厚み方向（顔面表面に対して略垂直）の回転軸を中心にして、重心を偏らせた回転子を回転させて振動を発生する構造の振動モータ等を使用することができる。
【００２８】
上記振動素子２と同様に、マッサージを要しない部位に電磁波発信装置５を配設し、さらにこのボタン電池３から電磁波発信装置５までに導線４'を配線する。図１では導線４'は振動素子２を経由して配線されているが、この形に限られる趣旨ではなく、マッサージしたい部位に応じて無駄のない配線を行う。
【００２９】
さて、これとは別に、図３に示すように片面に襞７のあるマスク地６を作成しておく。これは多数の孔の開いた基盤に、シリコンゴムを塗布することなどによって形成される。この襞７の大きさは特に限定されないが、顔のしわ取りなどを主目的とする場合は直径1mm、高さ1.5mm程度が適当である。そしてこのマスク地６を適宜裁断し上記マスク地１の接顔面を覆うように、振動素子２、ボタン電池３、導線４，４'、電磁波発信装置５の上から貼り付ける。貼り付けは襞７が顔面に接する向きに行う。
【００３０】
最後に、この作成されたマスクを加熱することで、上記マスク地１、６を接着・一体化する。これで本発明の美顔マスクは完成する。
【００３１】
上記構成によれば、振動素子２により顔面の所望の個所がマッサージされる。この振動素子２の振動により、所望の箇所の筋肉を刺激することができるため、運動を行ったときと同様に、脂肪を燃焼させて筋肉を引き締めることができるという効果も有する。
【００３２】
また、電磁波発信装置５により皮膚表面の水分からマイナスイオンが発生し、リラックスする効果をあげることができる。加えて、上記マスク地１及びマスク地６を形成する際に、粉粒体状のトルマリン鉱石を混入してマスク地に含有させることで、マイナスイオンの発生をより高めることができる。
【００３３】
上記では、マスク地６として片面に襞７を有するものを使用したが、襞を有しないマスク地を貼り付けてもよいことは勿論である。
【００３４】
ところで、上記で説明した型取りを行う場合、顔面に代えて、例えば、首、二の腕、太股等、体の任意の部位に対して型取りを行えば、型取りを行った部位に密着し、所望の個所をマッサージできる美容器具を構成することが可能である。
【００３５】
なお、この美容器具において、例えば、肘、膝などの関節を含む部位の型取りを行った場合は、関節の屈曲部分に合わせた開口部を備える構成とすれば、関節を動かした時に、皮膚から剥がれたり、位置ずれを起こしたりすることを防ぐことができる。
【００３６】
また、上記美顔マスク又は上記美容器具を装着する際に、皮膚との接触面に例えば、化粧水やコラーゲン、ビタミンＣを含む美容薬品を塗布するようにすれば、振動素子の振動により、薬剤をより浸透させることができるという効果も得ることができる。
【００３７】
なお、上記マスク地及びシート基材の材質は、特に限定されるものではないが、皮膚粘着性を有する材質を使用することが好ましい。このように皮膚粘着性を有する材質としては、シリコン樹脂の他、アクリル系やポリウレタン系の高分子ゲル等を使用することができる。
【００３８】
また、上記説明では、密着性向上の観点から、各使用者の型取りを行うことで各使用者専用のマスク地及びシート基材を形成したが、型取りした使用者以外の者であっても使用してもよいことは勿論である。
【００３９】
（実施の形態２）
図４は本発明の他の実施の形態における美顔マスクの正面図であり、図５はこの美顔マスクの図４B-Bにおける断面図である。
【００４０】
図４に示すように、本実施の形態の美顔マスクは、上述の立体成形したマスク地１に代えて、顔面に沿って屈曲できる略楕円形のシート状のマスク地１１を採用している。
【００４１】
このマスク地１１は、図５に示すように、皮膚粘着性を有する粘着層１１ａと皮膚粘着性を有しない外皮層１１ｂとを接着した構造を有し、この粘着層１１ａが接顔面に使用される。
【００４２】
上記粘着層１１ａ及び外皮層１１ｂの材質は、上述の性質を有する材質であれば、任意の材質を採用することができるが、本実施の形態では、上記粘着層１１ａと外皮層１１ｂの材質にシリコン樹脂を採用している。なお、シリコン樹脂が皮膚粘着性を有するか有しないかは、シリコン樹脂を構成するポリマーの重合構造の違いにより生じるものであり、このようなシリコン樹脂を選択的に製造する技術は公知であるためここでは詳述しない。
【００４３】
また、上記粘着層１１ａ及び外皮層１１ｂの厚さも、特に限定されるものではなく任意に設計すればよいが、本実施の形態では、後述の外皮層１１ｂの表面に配設した振動素子２が発生する振動の減衰を避けるために、粘着層１１ａの厚さを１ｍｍ、外皮層１１ｂの厚さを３ｍｍとしている。
【００４４】
上記マスク地１１は、図１に示す例と同様に、目、口及び鼻に対応する位置に開口部８、１０、１２を備える。特に、図４に示す例では、鼻の表面とマスク地１１との接触面積を増大させるため、鼻に対応する位置の開口部１２を、鼻の稜線及び鼻を正面から見た輪郭に対応するスリットとしている。また、上記マスク地１１の外周には、マスク地１１を顔面にフィットさせるための複数の切込み１３を設けている。
【００４５】
上記形状のマスク地１１を、例えば、プレス金型等を用いて形成した後、上記実施の形態１と同様に、上記外皮層１１ｂの表面に、振動素子２、電磁波発信装置５、導線４を配設する。そして、上記マスク地１１とは別で作成したマスク地１４を、上記マスク地１１の外皮層１１ｂに配設した振動素子２、電磁波発信装置５、導線４の上から貼り付けることで、美顔マスクは完成する。
【００４６】
図４に示す例では、左右の目元と口元との４箇所に振動素子２である上述の振動モータを配設し、各振動素子２に導線４を配線している（電磁波発信装置５は配設していない。）。また、ボタン電池はマスク地１１上に配設せず、振動素子２の駆動電力がマスク地１１の外部から導線４を介して供給される構成としている。
【００４７】
この構成によれば、上記振動モータが発生する顔面に平行な方向の振動は、マスク地１１の外皮層１１ｂ及び粘着層１１ａを伝わり、当該位置の皮膚を顔面と平行な方向に振動させる。このとき、粘着層１１ａは顔面に粘着しているので、振動素子２が発生した振動が効率よく顔面に伝えられ、マッサージ作用に加えて、粘着層１１ａにより皮膚が引き伸ばされることによるしわ取り作用を得ることができる。このため、上記振動素子２は、特に、目元、口元、額等のしわが生じ易い位置に配設することが好ましい。
【００４８】
本実施の形態における美顔マスクの他の作用及び効果は、実施の形態１で説明した美顔マスクの作用及び効果と同一である。
【００４９】
なお、上記の説明では、外皮層１１ｂの表面に、振動素子２等を配設する構成としたがこれに限るものではなく、外皮層１１ｂと粘着層１１ａとの間に配設してもよい。
【００５０】
また、図４に示す例では、導線４が口元に配設した振動素子２を経由して、目元に配設した振動素子２に接続されているが、各振動素子２に個別に導線４を接続して異なる駆動電力を供給し、各振動素子２を異なる振動数で振動させてもよい。
【００５１】
ところで、図４に示す例において、マスク地１１が、美顔（美肌）効果を有するアミノ酸、例えば、アラニン、ロイシン、シスチン、アルギニン、グルタミン酸等を含有する構成とすることができる。このとき、マスク地１１に含有させるアミノ酸は、単一種類または複数種類のいずれでもよい。
【００５２】
アミノ酸を含有するマスク地１１は、マスク地１１の素材となる樹脂等を形成するときに、当該樹脂の原材料にアミノ酸を混練することで作成することができる。例えば、上述のようにシリコン樹脂にアミノ酸を含有させる場合、当該シリコン樹脂が親油性であるため、アミノ酸を多量に含む大豆油等の植物性油やシリコンオイル等の溶媒に溶かしたアミノ酸等のアミノ酸を含有する油を混錬する。
【００５３】
このとき、混錬するアミノ酸含有油の量は、マスク地１１の組成により異なるため一概に言えないが、マスク地１１の原材料全体に対して数wt%から十数wt％の範囲であることが好ましい。これは、含有量が少ないとアミノ酸を含有した効果が得られないためであり、含有量が多いとマスク地１１の硬度が低下するからである。
【００５４】
このようにして、マスク地１１に含有されたアミノ酸は、マスク地１１の本体であるポリマーと結合することなく、マスク地１１中に分散した状態で存在する。このため、マスク地１１中のアミノ酸は、マスク地１１に加えられる曲げや振動等の外力の作用により移動する。このとき、マスク地１１の表面に到達したアミノ酸は、マスク地１１から外部に放出される。
【００５５】
したがって、上記マスク地１１がアミノ酸を含有する構成とすれば、上記振動素子２が発生する振動により、マスク地１１の表面から顔面に対してアミノ酸が供給されるため、しわ取りやシミ取り等の美顔（美肌）効果を得ることができる。特に上記振動素子２を配設した位置では、アミノ酸の供給が促進され、より高い美顔（美肌）効果を得ることができる。
【００５６】
また、上述のように、マスク地１１に含有させたアミノ酸は、マスク地１１に加えられる外力によりマスク地１１の表面から供給されるため、外力を加えていない非使用時のマスク地１１からは、ほとんど外部に放出されない。このため、上記構成によれば、マスク地１１がアミノ酸を供給する作用を長期間（数年）持続することが可能である。
【００５７】
なお、上記アミノ酸は、粘着層１１ａまたは外皮層１１ｂのいずれに含有させてもよいが、粘着層１１ａに含有させた場合には、皮膚粘着性が低下する可能性があるため、外皮層１１ｂに含有させることが好ましい。この場合、図６に示すように、外皮層１１ｂが顔面（皮膚）と対向する面に凸部１６を備えるとともに粘着層１１ａが当該凸部１６に対応する位置に貫通孔１５を備える構成とし、当該貫通孔１５に挿入した上記凸部１６の先端が接顔面に露出する状態で粘着層１１ａと外皮層１１ｂとを接着してマスク地１１を構成する。この構成によれば、粘着層１１ａの皮膚粘着性を損なうことなく、外皮層１１ｂから顔面（皮膚）にアミノ酸を供給することが可能となる。
【００５８】
一方、図４に示す例において、マスク地１１が発熱体２１を備える構成としてもよい。図７に示す例では、マスク地１１が外皮層１１ｂの表面に、頬、こめかみ及び額を通過する１本の発熱体２１を備え、当該発熱体２１の両端に設けた電極２２を介して発熱体２１に電力が供給されるようにしている。上記発熱体２１の構成は特に限定されるものではなく、炭素等の薄膜抵抗体や電熱線等を任意の配設位置、形状に設計することが可能である。また、通電を要しない発熱体を採用してもよい。
【００５９】
上記構成において、美顔マスクの外部から発熱体２１に電力を供給すると、当該発熱体２１が発熱し、この熱が顔面に伝わる。すなわち、発熱体２１を通電することにより、顔面の毛穴を開くとともに、発汗を促すことができる。
【００６０】
この状態で、上記振動素子２を駆動して振動を発生させると、当該振動と上記発熱体の作用との相乗効果により、シミ等の原因となる老廃物等を毛穴から除去するという美顔効果を得ることができる。
【００６１】
なお、上述の説明では、発熱体２１をマスク地１１と別体で構成し、マスク地１１に配設する構成としたが、炭素等の抵抗体の粉末をマスク地１１に含有させ、マスク地１１全体を抵抗体としてもよい。
【００６２】
また、上記で説明したマスク地及びシート基材が、酸化チタン系光触媒を含有する構成としても良い。酸化チタン系光触媒は、光が照射されることにより、水分を分解してマイナスイオンを発生させる作用、皮膚表面の老廃物を分解する作用、及び、外部から熱を受けることで遠赤外線を発生する作用を有している。
【００６３】
このため、上記構成によれば、マイナスイオンによりリラックスする効果、皮膚表面を清浄にする効果、遠赤外線により毛穴を開き、発汗を促す効果を得ることができるとともに、振動素子２が発生する振動との相乗効果によって、より高い美顔（美肌）効果を得ることができる。
【００６４】
さらに、マスク地及びシート基材が、抗菌剤を含有する構成とすれば、雑菌の繁殖を防ぐことができ、皮膚との接触面を清浄に保つことができる。
【図面の簡単な説明】
【００６５】
【図１】本発明の実施の形態における美顔マスクの正面図
【図２】図１Ａ−Ａにおける美顔マスクの断面図
【図３】図２の円Ｃで示した部分の拡大図
【図４】本発明の美顔マスクの正面図
【図５】図４Ｂ−Ｂにおける美顔マスクの断面図
【図６】本発明の美顔マスクの断面図
【図７】本発明の美顔マスクの正面図
【符号の説明】
【００６６】
１、６、１１、１４  マスク地
２  振動素子
３  電池
４、４’  導線
５  電磁波発信装置
７  襞
８、９、１０、１２  開口部
１１ａ  粘着層
１１ｂ  外皮層
１３  切込み
１５  貫通孔
１６  凸部
２１  発熱体
２２  電極
【図１】
2005118527.tif 000003
【図２】
2005118527.tif 000004
【図３】
2005118527.tif 000005
【図４】
2005118527.tif 000006
【図５】
2005118527.tif 000007
【図６】
2005118527.tif 000008
【図７】
2005118527.tif 000009